(57)【要約】  【課題】利用者ＩＤを容易に、正確かつ迅速に認証でき、このような利用者ＩＤを認証する必要がある新規のカラオケサービスに好適に適応できるカラオケシステムの提供。  【解決手段】指紋採取媒体が、固有かつ不変な人体的特徴であるカラオケ利用者の指紋の画像情報を採取し、これに接続されたカラオケ演奏装置ないしカラオケホスト装置が、この採取指紋を解析し、所定の指紋情報に変換して登録すると共に、新たな採取指紋情報を既に登録された指紋情報と比較し照合できる指紋認証カラオケシステム。【選択図】図４
2005107260.tif 000002
【特許請求の範囲】
【請求項１】
利用者の指紋の画像情報を採取し、当該情報を転送する機能を有した指紋採取媒体と、当該指紋採取媒体に所定の通信手段により接続されたカラオケ演奏装置からなり、当該カラオケ演奏装置が、前記指紋画像情報を解析して所定の指紋情報に変換するための指紋変換手段と、当該変換指紋情報を所定の記憶部に登録するための指紋登録手段と、当該登録指紋情報と前記変換指紋情報とを比較し照合するための比較照合手段を有してなる指紋認証カラオケシステム。
【請求項２】
利用者の指紋の画像情報を採取し、当該情報を転送する機能を有した指紋採取媒体と、当該指紋採取媒体に所定の通信手段により接続されたカラオケ演奏装置と、当該カラオケ演奏装置に所定のネットワーク通信手段により接続されたカラオケホスト装置からなり、当該カラオケホスト装置が、前記指紋画像情報を解析して所定の指紋情報に変換するための指紋変換手段と、当該変換指紋情報を所定の記憶部に登録するための指紋登録手段と、当該登録指紋情報と前記変換指紋情報とを比較し照合するための比較照合手段を有してなる指紋認証カラオケシステム。
【請求項３】
前記利用者の登録指紋情報により特定される利用者ＩＤと共に、前記利用者の歌唱楽曲に関する情報や、利用したカラオケサービスに関する情報などからなる利用者の履歴情報が、前記カラオケ演奏装置内ないしカラオケホスト装置内に設けられた、各利用者を個別に管理するための利用者管理手段に登録されることを特徴とする請求項１ないし請求項２記載の指紋認証カラオケシステム。
【請求項４】
前記指紋採取媒体が、カラオケリモコン装置および／またはカラオケマイクに付帯されてなる請求項１ないし請求項２記載の指紋認証カラオケシステム。
【発明の詳細な説明】
【技術分野】
【０００１】
本発明は、利用者ＩＤの特定を必要とする新規のカラオケサービスに対応するシステムに関し、さらに詳しくは、利用者毎の指紋を識別し、利用者ＩＤとして認証するカラオケシステムに関する。
【背景技術】
【０００２】
最近のカラオケサービスにおいては、利用者ＩＤを認証する必要がある。例えば、カラオケホスト装置は、広域に存在する多数の演奏端末（カラオケ演奏装置）から選曲履歴を集め、利用者ＩＤをキーとして集中管理し、これにより、同一の利用者が異なる店、異なる端末で歌った履歴をカラオケホスト装置における１つの選曲履歴として集約したり、あるいは、所定の予約楽曲を誰が転送したかの一覧表示や歌唱する順番の一覧表示、歌唱力採点の集計値や最高点、順位、歌唱による消費カロリーの累計や、各種のゲームやクイズなどを利用者毎ないし一覧表示するサービスに対応する場合に、利用者ＩＤを認証する必要がある。さらに、カラオケ演奏装置を用いて利用者の歌唱力の段位を認定する場合や、歌唱力を必要とする様々なイベントのオーディションの合否を判断する場合においても、その対象者（歌唱者）ＩＤを認証する必要がある。
【０００３】
このように、利用者ＩＤを認証する必要がある場合、従来の方式としては、例えば、特開２００３−７６３８１号に開示されているように、利用者固有のカラオケリモコン装置を利用する「会員リモコン方式」や、利用者がパスワードや暗唱番号を直接手入力する「パスワード方式」などがある。具体的には、前者は、会員（利用者）が個別に会員リモコンを所有し、各会員は各自の会員リモコンを使用してカラオケ演奏装置に予約楽曲コードなどを登録するものである。この会員リモコンは、カラオケ事業者が多数の利用者に配布したものであり、各会員リモコンには固体識別子が割り当てられているため、この固体識別−子を利用者ＩＤとして、予約楽曲コードなどと共に転送する。また、後者は、利用者毎のパスワードをＩＤとして予め登録しておき、予約楽曲コードなどをカラオケ演奏装置に転送する際、利用者がパスワードも共に転送することで、そのパスワードが照合されて利用者ＩＤが特定されるものである。
【０００４】
さらに、利用者ＩＤとして、利用者の固有かつ不変な人体的特徴である声紋情報を採取する手段として利用されることもある。例えば、特開平９−１４６５６３号では、カラオケマイクから入力される音声から声紋情報を抽出し、この声紋情報に基づいて利用者を識別し、これにより個人情報記憶手段に記憶された個人情報を読み出して更新あるいは追加を行い、さらに、各個人情報に基づいて所定の情報を出力できるシステムに関する技術が開示されている。また、特開２０００−２００７８号では、カラオケホスト装置から、個人ＩＤに対応する選曲履歴と、これに付帯する声紋情報（声紋コード）とをダウンロードして、所定のデータ記憶手段に格納した後、カラオケマイクから採取した利用者の入力音声から声紋情報を抽出し、この声紋情報と符合する声紋情報を当該データ記憶手段から検索し、符合した声紋情報に対応づけられている選曲履歴をディスプレイに表示する通信カラオケ演奏装置に関する技術が開示されている。
【特許文献１】特開２００３−７６３８１号公報
【特許文献２】特開平９−１４６５６３号公報
【特許文献３】特開２０００−２００７８号公報
【発明の開示】
【発明が解決しようとする課題】
【０００５】
しかしながら、このような従来技術では、例えば、「会員リモコン方式」による利用者認証の場合は、利用者毎に個体識別子が付与されたカラオケリモコン装置を用意しなければならず、多数の会員リモコンが必要である。まして、最近普及している「電子目次本付きカラオケリモコン」のような高性能多機能のカラオケリモコン装置などを利用者毎に与えることは、コスト面や効率面を考慮すると現実的ではない。また、「パスワード方式」による利用者識別の場合は、利用者はパスワードや暗唱番号を予め登録したり、サービスの利用機会毎にパスワードや暗唱番号を一々手入力するため、非常に手間がかかり、さらに、当然のことながら、利用者はパスワードや暗唱番号を正確に記憶していなければならないなどといった不都合もある。また、上記方式の他、ＩＤが記録されたＩＤカードを利用者毎に配布して、これをサービスの利用機会毎にカードリーダにセットさせるといった方法もあるが、この方法でも、一々所定のカードリーダにＩＤカードをセットする手間がかかるといった不都合がある。
【０００６】
一方、声紋情報を採取する従来技術では、声紋情報は外部環境からの自然音、特にカラオケルームにおいては、演奏音や他の利用者の音声がカラオケマイクに混入し易いため、細密な声紋採取が非常に難しく、加えて、「声紋識別技術」自体が、現状でも非常に高度かつ精緻性を要するなもので、その正確さを向上させるためには高度な音声識別システムを導入する必要があり、これでは、カラオケシステムに利用するマイクとしては技術面やコスト面で不都合である。
【０００７】
本発明は、上記の問題や不都合を解消するために想到されたもので、すなわち、利用者ＩＤを容易に、正確かつ迅速に認証でき、このような利用者ＩＤを認証する必要がある新規のカラオケサービスに好適に適応できるカラオケシステムの提供を課題とする。
【課題を解決するための手段】
【０００８】
上記課題を解決するため、本発明の請求項１記載の指紋認証カラオケシステムは、利用者の指紋の画像情報を採取し、当該情報を転送する機能を有した指紋採取媒体と、当該指紋採取媒体に所定の通信手段により接続されたカラオケ演奏装置からなり、当該カラオケ演奏装置が、前記指紋画像情報を解析して所定の指紋情報に変換するための指紋変換手段と、当該変換指紋情報を所定の記憶部に登録するための指紋登録手段と、当該登録指紋情報と前記変換指紋情報とを比較し照合するための比較照合手段を有してなることを特徴とする。
【０００９】
さらに、本発明の請求項２記載の指紋認証カラオケシステムは、利用者の指紋の画像情報を採取し、当該情報を転送する機能を有した指紋採取媒体と、当該指紋採取媒体に所定の通信手段により接続されたカラオケ演奏装置と、当該カラオケ演奏装置に所定のネットワーク通信手段により接続されたカラオケホスト装置からなり、当該カラオケホスト装置が、前記指紋画像情報を解析して所定の指紋情報に変換するための指紋変換手段と、当該変換指紋情報を所定の記憶部に登録するための指紋登録手段と、当該登録指紋情報と前記変換指紋情報とを比較し照合するための比較照合手段を有してなることを特徴とする。
【００１０】
次に、本発明の請求項３記載の指紋認証カラオケシステムは、利用者の登録指紋情報により特定される利用者ＩＤと共に、前記利用者の歌唱楽曲に関する情報や、利用したカラオケサービスに関する情報などからなる利用者の履歴情報が、前記カラオケ演奏装置内ないしカラオケホスト装置内に設けられた、各利用者を個別に管理するための利用者管理手段に登録されることを特徴とする。
【００１１】
また、本発明の請求項４記載の指紋認証カラオケシステムは、請求項１記載ないし請求項２記載のカラオケシステムにおいて、上記指紋採取媒体が、カラオケリモコン装置および／またはカラオケマイクに付帯されてなることを特徴とする。
【発明の効果】
【００１２】
前述の如く、本発明の指紋認証カラオケシステムでは、指紋採取媒体が、固有かつ不変な人体的特徴であるカラオケ利用者の指紋の画像情報を採取し、これに接続されたカラオケ演奏装置ないしカラオケホスト装置が、この採取指紋を解析し、所定の指紋情報に変換して登録すると共に、新たな採取指紋を既に登録された指紋情報と比較し照合でき、これを用いて利用者ＩＤを特定するため、従来のように、利用者毎にカラオケリモコン装置を割り当てたり、予めの登録や各種情報の転送毎にパスワードや暗唱番号などを一々手入力させたり、利用者にパスワードや暗唱番号の正確な記憶を強いることもなく、あるいは、従来の声紋識別システムでは不都合であった演奏音や他の利用者の音声に関係なく、指紋認証により利用者ＩＤを正確かつ迅速に特定できる。
【００１３】
さらに、利用者に、その登録指紋情報に対応した利用者ＩＤを付与することにより、当該利用者ＩＤを付帯した各種情報を転送できる。したがって、例えば、カラオケシステムを用いて利用者の歌唱力の段位を認定する場合や、歌唱力を必要とする様々なイベントのオーディションの合否を判断する場合においても、利用者と当該楽曲の歌唱者が同一人物か否かを判断できるため、このような利用者ＩＤを認証する必要がある新規のカラオケサービスに好適に適応できるといった効果を奏する。
【００１４】
そして、本発明の指紋認証カラオケシステムでは、利用者の登録指紋情報により特定される利用者ＩＤと共に、利用者の履歴情報が、カラオケ演奏装置内ないしカラオケホスト装置内に設けられた、各利用者を個別に管理するための利用者管理手段に登録されることにより、カラオケ演奏装置に付帯するディスプレイ装置により、利用者毎に個別の情報を提供したり、利用者間での識別表示をしたり、あるいは、利用者毎の情報を収集し、新たなカラオケサービスの深耕に役立てるといった様々な効果を奏する。
【００１５】
さらに、本発明の指紋認証カラオケシステムでは、上記指紋採取媒体が、カラオケリモコン装置ないしカラオケマイクに付帯されてなることにより、これらカラオケリモコン装置ないしカラオケマイクが、元々カラオケシステムに組み込まれており、通常、無線ないし有線の通信回線にて、所定のカラオケ演奏装置に接続されているため、指紋採取媒体を別体として用意する必要がなく、具体的には、カラオケリモコン装置ならば予約楽曲コードと共に利用者ＩＤを転送したり、カラオケマイクならば歌唱音声と共に利用者ＩＤを転送できるので、システム全体のコスト面や効率面に優れるといった効果を奏する。
【発明を実施するための最良の形態】
【００１６】
以下、本発明の指紋認証カラオケシステムについて最適な実施例を挙げ、本発明をさらに詳述する。
【実施例１】
【００１７】
図１は、本発明の指紋認証カラオケシステムにおけるネットワーク概念図である。
すなわち、本発明の指紋認証カラオケシステム（１）は、指紋採取媒体（２）、カラオケ演奏装置（３）、カラオケホスト装置（４）、ネットワーク通信回線（５）、および各カラオケ演奏装置に付帯されたカラオケリモコン装置（Ｒ）とカラオケマイク（Ｍ）を主たる構成要件とする。
【００１８】
ここにおいて、図２に示す指紋採取機構の概略的な説明図に基づき、本発明における指紋採取媒体について詳述する。
この指紋採取媒体（２）は、指紋を採取する指との接触読取面を有する指紋採取用プリズム（２１）と光源（２２）、および当該プリズム入射光（２２ａ）および当該プリズム出射光（２２ｂ）を所定の経路に偏向するための可動式偏向ミラー（２３）、（２３）および、採取指紋像を結像する結像レンズ（２４）と、ＣＣＤなどの光電変換素子（２６）を主な構成要件とする。
【００１９】
指紋採取用プリズム（２１）は上下に可動可能に保持されており、利用者の指先（Ｆ）が当該プリズム（２１）を押圧すると、これに連動して、撮像トリガー（２５）を押圧するように構成されている。そして、指紋採取用プリズム（２１）の接触読取面に利用者の指先（Ｆ）を押圧すると撮像が行われ、指先（Ｆ）の指紋凸部（図示せず）では接触読取面に接触する一方、指紋凹部（図示せず）では接触読取面との間に空隙を形成する。したがって、この状態で、光源（２２）からプリズム入射光（２２ａ）が入射した場合、指紋凸部ではプリズム出射光（２２ｂ）が接触読取面で乱反射して暗部として識別される。反面、指紋凹部では接触読取面との間に空隙が存在するため、読み取り光は接触読取面で全反射して明部として識別される。このように、指紋はその起伏の凹凸部により濃淡情報として読み取られる。そして、当該濃淡情報は結像レンズ（２４）を用いてＣＣＤなどの光電変換素子（２６）に結像され、この結像された指紋画像情報は一時的にメモリ（２７）に記憶される。そして、所定のタイミングにて情報転送手段（２８）をもって、この指紋採取媒体（２）に接続されたカラオケ演奏装置（３）に、当該指紋画像情報を転送する。
【００２０】
なお、本発明における指紋採取機構は特に限定されるものではなく、プリズムを用いた光学式の他、ホログラフィック指紋センサ方式、熱感知を利用する半導体センサ方式、静電容量を利用する半導体センサ方式など、利用者の指紋画像を読み取れるものであれば、その方式は何れのものでも構わない。
【００２１】
次に、図３は、本発明におけるカラオケ演奏装置の内部構成ブロック図である。
カラオケ演奏装置（３）は、指紋採取媒体（２）、カラオケリモコン装置（Ｒ）、カラオケマイクを付帯し、ネットワーク通信回線（５）を介してカラオケホスト装置（４）に接続されている。そして、その内部構成は、利用者が所望する楽曲を特定する楽曲番号が含まれた演奏予約データがカラオケリモコン装置（Ｒ）にて入力された際、適宜な記憶部（図示せず）に演奏予約の待ち行列を作成して、楽曲の演奏順番を管理し、その中の楽曲番号がカラオケ楽曲データベース（図示せず）に登録されている演奏可能な楽曲の番号であることを確認した上で、その楽曲番号を待ち行列に登録する予約制御部（３３）や、当該予約登録に従って待ち行列から登録順に楽曲番号を取り出し、ハードディスクに収納されたカラオケ楽曲データベースから、該当するＭＩＤＩデータやＡＤＰＣＭデータなどを所定の音源装置（図示せず）に転送して演奏させる演奏制御部（３２）などを有し、様々な制御を請け負う中央制御部（３１）や、カラオケホスト装置（４）との通信を制御し、当該カラオケホスト装置（４）からは新規の楽曲をダウンロードしたり、カラオケ演奏装置（３）からは、楽曲の演奏毎の演奏ログなどをカラオケホスト装置（４）にアップロードするための通信制御手段（３４）などからなる。
【００２２】
そして、前述したように、指紋採取媒体（２）からカラオケ演奏装置（３）に上記指紋画像情報が転送されると、指紋変換手段（６）では、当該指紋画像情報における濃淡情報に基づき、指紋の特徴情報を抽出し、これを電気信号に変換した後、指紋登録手段（７）にて、当該変換指紋情報に利用者ＩＤを付して指紋情報記憶部（９）に登録する。また、比較照合手段（８）では、指紋変換手段（６）により得られた変換指紋情報と指紋情報記憶部（９）に登録された登録指紋情報とを比較し照合する。そして、利用者の登録指紋情報により特定される利用者ＩＤと共に、当該利用者の履歴情報が、各利用者を個別に管理するための利用者管理手段（１０）に登録される。
なお、本発明における指紋変換手段や比較照合手段についても、特に限定されるものではなく、例えば、指紋凹凸の濃淡情報から二値化処理と芯線化処理により隆線パターンを抽出し、その端点と分岐点の位置を検出し、当該端点と分岐点の相互間を結ぶ線分上の交差隆線数の相関図をデジタル表記する方式（マニューシャ方式）や画像マッチング方式などを用いることもできる。
【００２３】
次に、図４は、本発明におけるカラオケホスト装置の内部構成ブロック図である。このカラオケホスト装置（４）は、ネットワーク通信回線（５）を介して、ネットワーク下に複数のカラオケ演奏装置（３）と接続されており、装置内の様々なシステム制御を行う中央制御手段（４１）や、ネットワーク通信回線（５）を介してカラオケ演奏装置（３）の通信制御手段との通信データの送受信の制御を行うための通信制御手段（４２）などからなる。各カラオケ演奏装置（３）は指紋採取媒体（２）を付帯しており、この指紋採取媒体（２）からカラオケ演奏装置（３）に上記指紋画像情報が転送されると、通常、一旦、カラオケ演奏装置（３）内の所定の記憶部に記憶された後、所定のタイミングでカラオケホスト装置（４）に上記指紋画像情報が再転送されるが、場合によっては、記憶部に記憶せず速やかにカラオケ演奏装置を介して、カラオケホスト装置（４）に再転送される。
そして、カラオケホスト装置（４）内では、前述したカラオケ演奏装置におけるのと同じように、指紋変換手段（６）は、上記指紋画像情報に基づいて、指紋の特徴情報を抽出して、これを電気信号に変換した後、指紋登録手段（７）にて、当該変換指紋情報に利用者ＩＤを付して指紋情報記憶部（９）に登録し、比較照合手段（８）では、指紋変換手段（６）により得られた変換指紋情報と指紋情報記憶部（９）に登録された登録指紋情報とを比較し照合する。そして、利用者の登録指紋情報により特定される利用者ＩＤと共に、当該利用者の履歴情報が、各利用者を個別に管理するための利用者管理手段（１０）に登録される。
【００２４】
以下、図５に示す、本発明におけるカラオケリモコン装置の概略的な外観図と、図６に示す、図５のカラオケリモコン装置の内部構成ブロック図に基づき、本発明を詳述する。
先ず、図５に示すように、カラオケリモコン装置（Ｒ）本体の形状は、両手を軽く開いた状態で持てる程度の幅長を有した横長サイズのパネル状のもので、その本体前面には液晶ディスプレイ（通称ＬＣＤ）（Ｒ６）が配設され、このディスプレイ（Ｒ６）の表面部にはタッチパネル式の操作パネル（Ｒ５）が積層されている。また、その上端面には、発光ダイオード（通称ＬＥＤ）による赤外線転送部（Ｒ９）が設けられ、その下端面には、通称「クレードル」に装着して接続するための接続端子（Ｒ１０）がある。そして、カラオケリモコン装置（Ｒ）を両手で持った状態で、利用者の親指がかかる程度の部位に指紋採取媒体（２）を付帯している。なお、本発明はこの構成の他、ディスプレイ（Ｒ６）のタッチパネル式の操作パネル（Ｒ５）中に指紋採取媒体（２）を付帯させても構わない。具体的には、当該部分ではＬＣＤの液晶シートの一部が切り掛けられており、その切掛部に前述した指紋採取用プリズムが組み込まれるように構成してもよい。
【００２５】
次に、図６に示すように、図５のカラオケリモコン装置（Ｒ）の内部構成は、上記液晶ディスプレイ（Ｒ６）、操作パネル（Ｒ５）および、これを制御する操作制御手段（Ｒ４）、赤外線転送部（Ｒ９）の他、フラッシュメモリ（Ｒ７）、中央制御手段（Ｒ１）、通信制御手段（Ｒ４）、指紋採取媒体（Ｒ２）などからなる。外部記憶として機能するフラッシュメモリ（Ｒ７）には、利用可能な演奏楽曲についての曲名・アーティスト名・歌詞の歌い出し部分などの属性情報が、楽曲番号に紐付けされて格納され、楽曲索引データベース（図示せず）として管理しており、利用者が入力した検索キーワードの属性情報に関するクエリーとしてデータベースを照会する。また、このカラオケリモコン装置（Ｒ）の主制御部である中央制御手段（Ｒ１）は、無線回線ないし有線回線を介して通信を制御する通信制御手段（Ｒ４）に接続されており、新規の演奏楽曲についての属性情報などをクレードル（ＣＲ）を介してダウンロードし、フラッシュメモリ（Ｒ７）に格納することで楽曲索引データベースが適時に更新される。なお、通称「クレードル」とは、通常、カラオケリモコン装置（Ｒ）の接続端子を介して接続され、当該リモコン装置本体内部にある二次電池に電力供給をするための充電器とデータの同期処理器を兼用した装置である。
そして、採取された指紋の濃淡情報は光電変換素子に結像されて指紋画像情報となり、このカラオケリモコン装置（３）に接続されたカラオケ演奏装置（３）に、情報転送手段（Ｒ３）をもって当該指紋画像情報が転送される。なお、当該情報転送手段（Ｒ３）は上記通信制御手段（Ｒ４）を兼用するものであっても構わない。
【００２６】
次に、図７に示す、本発明におけるカラオケマイクの概略的な外観図と、図８に示す、図７のカラオケマイクの内部構成ブロック図に基づき、本発明を詳述する。
先ず、図７に示すように、カラオケマイク（Ｍ）の外観は、ボディー（Ｍ７）、風防（Ｍ６）、電源スイッチ（Ｍ８）、指紋採取媒体（Ｍ２）、および有線接続コードないし無線通信アンテナ（Ｍ９）を主な構成要件とする。そして、図８に示すように、カラオケマイク（Ｍ）の内部構成は、マイク内の様々なシステム制御を行う中央制御手段（Ｍ１）の他、従来のダイナミックマイクの構成要件である、利用者の歌声の音圧を受けて振動する音圧受振部（Ｍ５）および、その振動を電気信号に変換する圧電変換手段（Ｍ４）、そして、指紋採取媒体（Ｍ２）が付帯されてなり、情報転送手段（Ｍ３）をもって、当該指紋採取媒体（Ｍ２）にて得た指紋画像情報はカラオケ演奏装置（３）に転送される。
【００２７】
以下、図９に示す、本発明の一実施例における指紋認証カラオケシステムのシステムフロー図に基づき、本発明をさらに詳述する。
先ず、指紋採取媒体を付帯したカラオケリモコン装置にて、登録する利用者の指先の指紋画像情報を採取する（ステップＳ１）。次に、指紋変換手段にて、当該指紋画像情報を解析して所定の指紋情報に変換する（ステップＳ２）。そして、比較照合手段にて、当該変換指紋情報と登録指紋情報とを比較し照合する（ステップＳ３）。
【００２８】
ここで、登録指紋情報の中に当該変換指紋情報と一致するものがあるか否かが判別されるが（ステップＳ４）、一致する情報がない場合には、指紋登録手段にて、当該変換指紋情報にＩＤを付して所定の記憶部に登録する（ステップＳ５）。これにより、利用者ＩＤが特定される（ステップＳ６）。続けて、利用者が所望の予約楽曲コードを入力すると（ステップＳ７）、利用者ＩＤが予約楽曲コードに付帯され、利用者は情報転送トリガーを押圧することで、情報転送手段にて、当該利用者ＩＤを付帯した予約楽曲コードが所定のカラオケ演奏装置に転送される（ステップＳ８）。一方、一致する情報がある場合には、当該変換指紋情報は登録されることなく、続けて、利用者が所望の予約楽曲コードを入力すれば（ステップＳ７）、上記と同じく、一致した登録指紋情報の利用者ＩＤが予約楽曲コードに付帯され、利用者は転送トリガーを押圧することで、情報転送手段にて、ＩＤを付帯した予約楽曲コードが所定のカラオケ演奏装置に転送される（ステップＳ８）。
【００２９】
そして、ＩＤを付帯した予約楽曲コードが所定のカラオケ演奏装置に転送されて、当該予約楽曲の演奏の順番が来ると、その演奏が開始される（ステップＳ９）。そして、この時、指紋採取媒体を付帯したカラオケマイクにより、歌唱している利用者の指先の指紋画像情報を採取する（ステップＳ１０）。次に、指紋変換手段にて、当該指紋画像情報を解析して所定の指紋情報に変換する（ステップＳ１１）。そして、比較照合手段にて、当該変換指紋情報と当該楽曲を予約した利用者ＩＤを特定する登録指紋情報とを比較し照合する（ステップＳ１２）。ここで、当該変換指紋情報と登録指紋情報とが一致するか否かが判別される（ステップＳ１３）。
一致する場合には、その楽曲の歌唱者が利用者本人と認定され、利用者ＩＤと共に、当該利用者の歌唱した楽曲名および何時唱歌したかなどの履歴情報が、カラオケホスト装置に設けられた各利用者を個別に管理するための利用者管理手段に登録される（ステップＳ１４）。これにより、例えば、利用者の歌唱力の段位を認定する場合や歌唱力を必要とする様々なイベントのオーディションの合否を判断する場合、歌唱者の本人特定の手段として有効に活用できる。一方、一致しない場合には、歌唱者が間違いである旨の警告表示をしたり、場合によっては、楽曲の演奏中止を行う（ステップＳ１５）こともある。これにより、例えば、上記段位認定時やオーディション合否判定時の不正防止にも好適に利用できる。
【００３０】
以上、詳述した如く、本発明の指紋認証カラオケシステムによれば、指紋採取媒体が、固有かつ不変な人体的特徴であるカラオケ利用者の指紋の画像情報を採取し、これに接続されたカラオケ演奏装置ないしカラオケホスト装置が、この採取指紋を解析し、所定の指紋情報に変換して登録すると共に、新たな採取指紋情報を既に登録された指紋情報と比較し照合できるため、利用者ＩＤを容易に、正確かつ迅速に登録し認証でき、利用者ＩＤを認証する必要がある新規のカラオケサービスに好適に適応できる。
【００３１】
なお、本発明は、その基本概念を逸脱しない限り、種々の改変をなすことができると共に、その権利は当該改変されたものにも及ぶものである。
【図面の簡単な説明】
【００３２】
【図１】本発明の指紋認証カラオケシステムにおけるネットワーク概念図。
【図２】指紋採取機構の概略的な説明図。
【図３】本発明におけるカラオケ演奏装置の内部構成ブロック図。
【図４】本発明におけるカラオケホスト装置の内部構成ブロック図。
【図５】本発明におけるカラオケリモコン装置の概略的な外観図。
【図６】図５のカラオケリモコン装置の内部構成ブロック図。
【図７】本発明におけるカラオケマイクの概略的な外観図。
【図８】図７のカラオケマイクの内部構成ブロック図。
【図９】本発明の一実施例における指紋認証カラオケシステムのシステムフロー図。
【符号の説明】
【００３３】
１    指紋認証カラオケシステム
２    指紋採取媒体
３    カラオケ演奏装置
４    カラオケホスト装置
５    ネットワーク通信回線
６    指紋変換手段
７    指紋登録手段
８    比較照合手段
９    指紋情報記憶部
１０  利用者管理手段
Ｍ    カラオケマイク
Ｒ    カラオケリモコン装置
【図１】
2005107260.tif 000003
【図２】
2005107260.tif 000004
【図３】
2005107260.tif 000005
【図４】
2005107260.tif 000006
【図５】
2005107260.tif 000007
【図６】
2005107260.tif 000008
【図７】
2005107260.tif 000009
【図８】
2005107260.tif 000010
【図９】
2005107260.tif 000011